(57)【要約】【課題】補助具を用いて被検者を位置決めし、同一被検者の同一部位を再撮影する場合に、補助具の種類とその配置状態を再現できるＸ線画像撮影システムを提供する。【解決手段】Ｘ線画像撮影システムは、Ｘ線画像撮影装置と、入力装置と、Ｘ線画像撮影装置によって、補助具を用いて撮影台に位置決めされた被検者のＸ線画像が撮影される場合に、入力装置を介して入力される被検者の情報と補助具の情報およびその配置情報とを関連付けて記憶する記憶装置と、入力装置を介して入力される検索キーとしての被検者の情報に基づいて、記憶装置に記憶されている補助具の情報およびその配置情報の中から、検索キーに一致する被検者の情報を検索し、検索キーに一致する被検者の情報に関連付けられた補助具の情報およびその配置情報を出力する制御装置とを備える。【選択図】図１
2012050525.tif 000002
【特許請求の範囲】
【請求項１】
被検者のＸ線画像を撮影するＸ線画像撮影装置と、
前記Ｘ線画像撮影装置によってＸ線画像が撮影される被検者の情報、および、該被検者の位置決めに使用される補助具の情報およびその配置情報を入力するための入力装置と、
前記Ｘ線画像撮影装置によって、前記補助具を用いて撮影台に位置決めされた被検者のＸ線画像が撮影される場合に、前記入力装置を介して入力される前記被検者の情報と前記補助具の情報およびその配置情報とを関連付けて記憶する記憶装置と、
前記入力装置を介して入力される検索キーとしての被検者の情報に基づいて、前記記憶装置に記憶されている補助具の情報およびその配置情報の中から、前記検索キーに一致する被検者の情報を検索し、該検索キーに一致する被検者の情報に関連付けられた補助具の情報およびその配置情報を出力する制御装置とを備えることを特徴とするＸ線画像撮影システム。
【請求項２】
前記補助具の情報は、該補助具の識別情報、形状、サイズの情報を含む請求項１に記載のＸ線画像撮影システム。
【請求項３】
前記補助具の配置情報は、前記撮影台に対する前記補助具の位置、設置面、設置方向の情報を含む請求項１または２に記載のＸ線画像撮影システム。
【請求項４】
前記補助具の位置の情報は、該補助具と前記撮影台との間の位置関係の情報である請求項３に記載のＸ線画像撮影システム。
【請求項５】
前記補助具は、その位置の基準点となる目印を各面の表面に有し、前記撮影台は、前記補助具の各面が有する目印の位置によって、該補助具と該撮影台との間の位置関係を示すための目盛を該撮影台の表面に有する請求項４に記載のＸ線画像撮影システム。
【請求項６】
前記撮影台は、前記目盛を天板の上に有する臥位撮影台である請求項５に記載のＸ線画像撮影システム。
【請求項７】
前記撮影台は、前記目盛を、Ｘ線源から照射され、前記被検者を透過したＸ線を検出するＸ線検出器のカバーの上に有する立位撮影台である請求項５に記載のＸ線画像撮影システム。
【請求項８】
前記撮影台は、前記補助具の位置を検出する位置検出センサを天板に有する臥位撮影台である請求項１〜４のいずれかに記載のＸ線画像撮影システム。
【請求項９】
前記補助具の配置情報は、該補助具を用いて位置決めされた被検者をデジタルカメラで撮影して得られた画像の情報を含む請求項１〜８のいずれかに記載のＸ線画像撮影システム。
【請求項１０】
前記補助具は、サイズの調整機構を有し、
前記補助具の配置情報は、前記サイズの調整機構による、前記補助具のサイズの調整値の情報を含む請求項１〜９のいずれかに記載のＸ線画像撮影システム。
【請求項１１】
前記被検者の情報は、該被検者の識別情報である請求項１〜１０のいずれかに記載のＸ線画像撮影システム。
【請求項１２】
前記被検者の情報は、該被検者のＸ線画像の情報である請求項１〜１０のいずれかに記載のＸ線画像撮影システム。
【請求項１３】
Ｘ線画像撮影装置によって、補助具を用いて撮影台に位置決めされた被検者のＸ線画像を撮影し、
制御装置の制御により、入力装置を介して入力される、前記Ｘ線画像が撮影される被検者の情報と該被検者の位置決めに使用された補助具の情報およびその配置情報とを関連付けて記憶装置に記憶し、
前記制御装置により、前記入力装置を介して入力される検索キーとしての被検者の情報に基づいて、前記記憶装置に記憶された補助具の情報およびその配置情報の中から、前記検索キーに一致する被検者の情報を検索し、該検索キーに一致する被検者の情報に関連付けられた補助具の情報およびその配置情報を出力することを特徴とするＸ線画像撮影方法。
【発明の詳細な説明】
【技術分野】
【０００１】
本発明は、補助具を用いて被検者（患者）を位置決め（ポジショニング）してＸ線画像を撮影した場合に、補助具の情報およびその配置情報を取得して管理するＸ線画像撮影システムおよびＸ線画像撮影方法に関するものである。
【背景技術】
【０００２】
Ｘ線画像の撮影時には、被検者を撮影台に位置決めした後、Ｘ線源からＸ線を被検者に照射し、例えば、被検者を透過したＸ線をＸ線検出器で検出することによって、被検者のＸ線画像が撮影される。
【０００３】
ところが、術式（撮影条件）や撮影部位によって、被検者が撮影中に体勢を維持することが難しい場合には、撮影時に体が動いて画像ぼけが生じるという懸念がある。そのため、撮影中の被検者の体勢を固定するために、Ｘ線画像撮影用の補助具が用いられている。各病院等には、一般的に、被検者の体型（身長、体重）や撮影部位などに応じて、形状やサイズの異なる複数種類の補助具が用意されている。
【０００４】
例えば、経過観察などで、一定の期間毎に同一被検者の同一部位のＸ線画像を再撮影することが行われる。しかし、前回の撮影時とは異なる撮影技師によって撮影が行われる場合には、前回の撮影時と今回の撮影時とで、使用する補助具の種類およびその配置状態が異なる場合がある。また、前回の撮影時には補助具を使用しなかったが、今回の撮影時には補助具を使用したり、その逆の場合もある。
【０００５】
このように、従来の補助具を使用したＸ線画像の撮影では、前回の撮影時の場合と今回の撮影時の場合とで同一の補助具の種類およびその配置状態を再現することが難しく、医師による診断に悪影響を及ぼす虞があるという問題点があった。
【０００６】
ここで、補助具を用いて位置決めされた被検者のＸ線画像を撮影するＸ線画像撮影システムの先行技術文献として、例えば、特許文献１〜３等がある。しかしながら、本発明に直接的に関連性のある先行技術文献は存在していない。
【先行技術文献】
【特許文献】
【０００７】
【特許文献１】特開平７−３１１８３４号公報
【特許文献２】特開２００４−２６１５２８号公報
【特許文献３】特開２０１０−１４８６７６号公報
【発明の概要】
【発明が解決しようとする課題】
【０００８】
本発明の目的は、補助具を用いて被検者を位置決めし、同一被検者の同一部位を再撮影する場合に、補助具の種類およびその配置状態を再現することができるＸ線画像撮影システムおよびＸ線画像撮影方法を提供することにある。
【課題を解決するための手段】
【０００９】
上記目的を達成するために、本発明は、被検者のＸ線画像を撮影するＸ線画像撮影装置と、
前記Ｘ線画像撮影装置によってＸ線画像が撮影される被検者の情報、および、該被検者の位置決めに使用される補助具の情報およびその配置情報を入力するための入力装置と、
前記Ｘ線画像撮影装置によって、前記補助具を用いて撮影台に位置決めされた被検者のＸ線画像が撮影される場合に、前記入力装置を介して入力される前記被検者の情報と前記補助具の情報およびその配置情報とを関連付けて記憶する記憶装置と、
前記入力装置を介して入力される検索キーとしての被検者の情報に基づいて、前記記憶装置に記憶されている補助具の情報およびその配置情報の中から、前記検索キーに一致する被検者の情報を検索し、該検索キーに一致する被検者の情報に関連付けられた補助具の情報およびその配置情報を出力する制御装置とを備えることを特徴とするＸ線画像撮影システムを提供するものである。
【００１０】
ここで、前記補助具の情報は、該補助具の識別情報、形状、サイズの情報を含むことが好ましい。
【００１１】
また、前記補助具の配置情報は、前記撮影台に対する前記補助具の位置、設置面、設置方向の情報を含むことが好ましい。
【００１２】
また、前記補助具の位置の情報は、該補助具と前記撮影台との間の位置関係の情報であることが好ましい。
【００１３】
また、前記補助具は、その位置の基準点となる目印を各面の表面に有し、前記撮影台は、前記補助具の各面が有する目印の位置によって、該補助具と該撮影台との間の位置関係を示すための目盛を該撮影台の表面に有することが好ましい。
【００１４】
また、前記撮影台は、前記目盛を天板の上に有する臥位撮影台であることが好ましい。
【００１５】
また、前記撮影台は、前記目盛を、Ｘ線源から照射され、前記被検者を透過したＸ線を検出するＸ線検出器のカバーの上に有する立位撮影台であることが好ましい。
【００１６】
また、前記撮影台は、前記補助具の位置を検出する位置検出センサを天板に有する臥位撮影台であることが好ましい。
【００１７】
また、前記補助具の配置情報は、該補助具を用いて位置決めされた被検者をデジタルカメラで撮影して得られた画像の情報を含むことが好ましい。
【００１８】
また、前記補助具は、サイズの調整機構を有し、
前記補助具の配置情報は、前記サイズの調整機構による、前記補助具のサイズの調整値の情報を含むことが好ましい。
【００１９】
また、前記被検者の情報は、該被検者の識別情報であることが好ましい。
【００２０】
また、前記被検者の情報は、該被検者のＸ線画像の情報であることが好ましい。
【００２１】
また、本発明は、Ｘ線画像撮影装置によって、補助具を用いて撮影台に位置決めされた被検者のＸ線画像を撮影し、
制御装置の制御により、入力装置を介して入力される、前記Ｘ線画像が撮影される被検者の情報と該被検者の位置決めに使用された補助具の情報およびその配置情報とを関連付けて記憶装置に記憶し、
前記制御装置により、前記入力装置を介して入力される検索キーとしての被検者の情報に基づいて、前記記憶装置に記憶された補助具の情報およびその配置情報の中から、前記検索キーに一致する被検者の情報を検索し、該検索キーに一致する被検者の情報に関連付けられた補助具の情報およびその配置情報を出力することを特徴とするＸ線画像撮影方法を提供する。
【発明の効果】
【００２２】
本発明では、補助具を用いて被検者を位置決めし、経過観察などで、一定の期間毎に同一被検者の同一部位を再撮影する場合に、補助具の情報およびその配置情報に従って、補助具の種類およびその配置状態、すなわち、１回目（前回）のＸ線画像の撮影時の被検者の姿勢を再現することができる。従って、医師による診断の精度を向上させることができる。
【図面の簡単な説明】
【００２３】
【図１】本発明のＸ線画像撮影システムの構成を表す一実施形態のブロック図である。
【図２】（Ａ）〜（Ｅ）は、各種の補助具の断面形状、および、その高さの調整後の形状を表す概念図である。
【図３】補助具の構成を表す斜視概念図である。
【図４】（Ａ）および（Ｂ）は、撮影台の構成を表す斜視概念図である。
【図５】（Ａ）および（Ｂ）は、図４に示す撮影台の側面図および上面図である。
【図６】（Ａ）および（Ｂ）は、位置検出センサを有する撮影台の構成を表す斜視図および上面図である。
【図７】図２（Ａ）に示す、わき腹用補助具の内部構成を表す概念図である。
【図８】図２（Ｄ）に示す、足載せ用補助具の内部構成を表す概念図である。
【図９】Ｘ線画像の撮影時の動作を表すフローチャートである。
【発明を実施するための形態】
【００２４】
以下に、添付の図面に示す好適実施形態に基づいて、本発明のＸ線画像撮影システムおよびＸ線画像撮影方法を詳細に説明する。
【００２５】
図１は、本発明のＸ線画像撮影システムの構成を表す一実施形態のブロック図である。同図に示すＸ線画像撮影システム１０は、補助具を用いて被検者を位置決めしてＸ線画像を撮影した場合に、補助具の情報およびその配置情報を取得して管理することが可能なものである。Ｘ線画像撮影システム１０は、画像撮影装置１２と、コンソール１４とによって構成されている。
【００２６】
画像撮影装置１２は、被検者２８のＸ線画像を撮影するものであって、Ｘ線源１６と、Ｘ線制御装置１８と、撮影台２４とを備えている。
【００２７】
Ｘ線源１６は、Ｘ線制御装置１８の制御により、被検体２８のＸ線画像の撮影時に、所定強度のＸ線を所定の時間だけ照射する。つまり、所定の照射量（線量）のＸ線を照射する。
【００２８】
Ｘ線制御装置１８は、後述するコンソール１４の制御装置３４の指示により、Ｘ線源１６の動作（Ｘ線の照射）を制御する。
【００２９】
撮影台２４は、Ｘ線画像の撮影時に、被検者２８を位置決めするための台である。撮影台２４は、Ｘ線検出器２６を使用してＸ線画像を撮影する単なる位置決め台であってもよい。また、撮影台２４は、立位撮影台ないし臥位撮影台の内部にＸ線検出器２６が組み込まれた固定型のものであってもよいし、Ｘ線画像の撮影時にＸ線検出器２６が装着される可搬型のものであってもよい。
【００３０】
Ｘ線検出器２６は、Ｘ線源１６から照射され、被検者２８を透過したＸ線を検出することによって、被検者２８が撮影されたＸ線画像の画像信号を出力する。Ｘ線検出器２６としては、例えば、Ｘ線画像撮影用のカセッテを使用することができる。カセッテは、Ｘ線撮影フィルム、ＩＰ（イメージングプレート）、ＦＰＤ（フラットパネルディテクタ）等のＸ線撮影手段を収納したものである。
【００３１】
補助具３０は、被検者２８のＸ線画像を撮影する時に、被検者２８の体勢を固定し、位置決めするためのものでる。前述のように、補助具３０には、被検者２８の体型（身長、体重）や撮影部位などに応じて様々な種類があって、その形状やサイズも様々なものがある。補助具３０の例として、図２（Ａ）〜（Ｅ）の図中左側に示すように、わき腹用補助具、頭部固定用補助具、傾斜補助具、足載せ用補助具、膝用補助具等がある。
【００３２】
続いて、コンソール１４は、Ｘ線画像撮影システム１０全体の動作を制御するものであって、入力装置３２と、制御装置３４と、記憶装置３６と、表示装置３８とを備えている。
【００３３】
入力装置３２は、例えば、撮影指示等の各種の指示や、被検者２８の情報、被検者２８の位置決めに使用される補助具３０の情報およびその配置情報等の各種の情報を入力するための入力手段である。
【００３４】
ここで、被検者２８の情報には、被検者２８の識別情報（識別番号、氏名等）、撮影部位の情報、術式（撮影条件）の情報、身長および体重の情報、撮影済みのＸ線画像の情報などが含まれる。また、補助具３０の情報には、補助具３０の識別情報（種類、識別番号、名称等）、形状の情報、サイズの情報などが含まれる。補助具３０の配置情報には、補助具３０の撮影台２４に対する位置、設置面、設置方向の情報などが含まれる。
【００３５】
また、補助具３０の配置情報として、補助具３０を用いて位置決めされた被検者２８をデジタルカメラで撮影して得られた画像の情報を記憶しておくことが望ましい。これにより、補助具３０の配置状態だけでなく、被検者２８の姿勢を再現することが容易になる。
【００３６】
制御装置３４は、入力装置３２を介して入力される各種の指示や情報に基づいて、Ｘ線制御装置１８、記憶装置３６、表示装置３８の各部位の動作を制御するとともに、Ｘ線検出器２６から入力されるＸ線画像の画像データに画像処理を施し、画像処理後のＸ線画像を出力する。また、制御装置３４は、入力装置３２を介して入力される検索キーとしての被検者２８の情報に基づいて、記憶装置３４に記憶された補助具３０の情報およびその配置情報の中から、検索キーに一致する被検者２８の情報を検索し、この検索キーに一致する被検者２８の情報に関連付けられた補助具３０の情報およびその配置情報を出力する。
【００３７】
記憶装置３６は、制御装置３４の制御により、Ｘ線画像の撮影が行われる前に、入力装置３２を介して入力される被検者２８の情報を記憶する。また、記憶装置３６は、制御装置３４の制御により、Ｘ線画像撮影装置１２によって、補助具３０を用いて撮影台２４に位置決めされた被検者２８のＸ線画像が撮影される場合に、入力装置３２を介して入力される被検者２８の情報と補助具３０の情報およびその配置情報とを関連付けて記憶する。
【００３８】
表示装置３８は、制御装置３４から出力される画像処理後のＸ線画像や、被検者２８の情報、検索キーに一致する被検者２８の情報に関連付けられた補助具３０の情報およびその配置情報等の各種の情報を表示する。
【００３９】
次に、補助具３０および撮影台２４について説明する。
【００４０】
図３は、補助具の構成を表す斜視概念図である。同図に示す補助具３０は、６面体であって、その上面および下面以外の４つの側面に設置面の識別情報Ａ〜Ｄが表示されている。また、この補助具３０が撮影台２４に配置された場合に、補助具３０と撮影台２４との間の位置関係が分かるように、補助具３０の各側面内の所定位置に、その位置の基準点となる目印および固有番号（図示省略）が表示されている。
【００４１】
図４（Ａ）および（Ｂ）は、撮影台の構成を表す斜視概念図、図５（Ａ）および（Ｂ）は、その側面図および上面図である。これらの図に示す撮影台２４は、補助具３０が天板上に配置された場合に、補助具３０の各側面が有する目印の位置によって、補助具３０と撮影台２４の表面（天板）との間の位置関係を示すための目盛を天板上に有する臥位撮影台である。撮影台２４は、図中右手前角部を座標原点として、天板上に２次元（Ｘ，Ｙ方向）の座標目盛が表示されている。
【００４２】
図４（Ｂ）と図５（Ａ）および（Ｂ）に示すように、補助具３０が撮影台２４の天板の上に配置されると、ユーザ（Ｘ線画像の撮影技師）は、設置面の識別情報によって、補助具３０がどの面を撮影台２４の天板に向けて設置されているのかが分かる。また、補助具３０の各側面の目印と撮影台２４の天板上の目盛とによって、目印が天板上のどの位置にあるか、つまり、補助具３０が撮影台２４の天板上のどの位置およびどの方向に配置されているのかが分かる。
【００４３】
以上のように、ユーザは、補助具３０の載置面の情報、および、補助具３０の位置および方向の情報（各目印の固有番号と天板上の目盛との関係）を目視で簡単に取得することができ、入力装置３２を介して記憶装置３６に記憶させることができる。
【００４４】
なお、上記例のように、臥位撮影台の場合には、天板の上に目盛を表示することが望ましいが、立位撮影台の場合には、Ｘ線検出器のカバーの上に目盛を表示することが望ましい。
【００４５】
図６（Ａ）および（Ｂ）に示すように、補助具３０の位置を検出する位置検出センサを臥位撮影台の天板に設けることによよって、ユーザによる目視ではなく、補助具３０の配置情報を電気信号として自動的に取得することも可能である。
【００４６】
同図に示す位置検出センサは透過型センサであって、撮影台２４の天板の対向する辺にそれぞれ配置された発光部４０および受光部４２によって構成されている。天板の上に補助具３０が配置されると、発光部４０から発せられた光が、補助具３０によって遮光され、受光部４２では受光されなくなる。これにより、位置検出センサは、補助具３０が配置された場所を検出することができる。
【００４７】
なお、位置検出センサは透過型センサに限定されず、撮影台２４の天板の上に配置された補助具の位置を検出することができるものであれば、同様の機能を有する様々な種類のセンサを利用することができる。
【００４８】
次に、補助具３０のサイズの調整機構について説明する。
【００４９】
図７は、図２（Ａ）に示す、わき腹用補助具の内部構成を表す概念図である。同図に示すわき腹用補助具は、勾配ラック４４およびピニオン４６によって構成される高さ調整機構を備えている。例えば、ピニオン４６を右回りに回転駆動することによって、勾配ラック４４の勾配部分が図中右斜め上方向に移動し、これに応じて、わき腹用補助具の高さが高くなるように調整される。逆に、ピニオン４６を左回りに回転駆動することによって、わき腹用補助具の高さが低くなるように調整される。
【００５０】
続いて、図８は、図２（Ｄ）に示す、足載せ用補助具の内部構成を表す概念図である。同図に示す足載せ用補助具は、ねじジャッキ４８を用いて高さ調整機構が構成されている。例えば、ねじ軸５０を右回りに回転させることによって、ジャッキ４８の高さが上昇し、これに応じて、足載せ用補助具の高さが高くなるように調整される。逆に、ねじ軸５０を左回りに回転させることによって、足載せ用補助具の高さが低くなるように調整される。
【００５１】
また、上記のピニオンおよびねじ軸をラチェット機構とすることによって、ピニオンおよびねじ軸の回転量をデジタル設定することができ、補助具のサイズの調整値をデジタル信号として自動的に取得することができる。
【００５２】
上記のように、補助具３０の高さの調整機構を備えることによって、高さの異なる同一種類の複数の補助具３０を１つにまとめることができる。つまり、補助具のサイズの調整機構を備えることによって、必要な補助具３０の個数を削減することができる。また、必要な補助具３０の個数を削減することができるため、病院等において、補助具３０を保管するためのスペースを削減ことができる。
【００５３】
なお、わき腹用補助具および足載せ用補助具を例に挙げて説明したが、図２（Ａ）〜（Ｅ）の図中右側に示すように、他の種類の補助具３０についても同様の高さ調整機構を採用して、その高さを調整することができる。また、補助具３０の高さの調整機構について２つの例を示したが、これ限定されず、様々なサイズ調整機構を用いることができる。また、サイズの調整機構は、高さだけに限らず、幅や奥行きなどの調整機構を備えていてもよい。
【００５４】
次に、図９に示すフローチャートを参照しながら、本発明のＸ線画像撮影方法に従って、Ｘ線画像の撮影時の動作を説明する。
【００５５】
ここで、ユーザは、被検者２８のＸ線画像の撮影を行う前に、入力装置３２を介して、被検者２８の識別情報（識別番号、氏名等）、撮影部位の情報、術式（撮影条件）の情報、身長および体重の情報、Ｘ線画像の情報等を含む被検者２８の情報を入力しており、入力装置３２を介して入力された被検者２８の情報は、制御装置３４の制御により、記憶装置３６に記憶されているものとする。
【００５６】
まず、１回目のＸ線画像の撮影時の動作を説明する。
【００５７】
ユーザは、被検者２８の１回目のＸ線画像を撮影する時に、入力装置３２を介して、検索キーとしての被検者２８の情報、例えば、被検者２８の識別情報等を入力する。これに応じて、制御装置３４は、被検者２８の情報として、記憶装置３６に記憶されている被検者２８の情報から、検索キーに一致する被検者２８の識別情報、撮影部位、術式（撮影条件）、身長、体重等の情報を受け取る（ステップＳ１）。制御装置３４は、これらの情報を表示装置３８に表示する。
【００５８】
続いて、ユーザは、表示装置３８に表示された情報を見て、撮影部位、術式等の確認を行い（ステップＳ２）、補助具３０の要／不要の確認を行う（ステップＳ３）。補助具３０が不要であると判断した場合（ステップＳ３でＮＯ）にはステップＳ６に進む。
【００５９】
ユーザは、ステップＳ３で補助具３０が必要であると判断した場合（ステップＳ３でＹＥＳ）には、補助具３０を選択する（ステップＳ４）。この時、ユーザは、補助具３０の情報（補助具３０の識別情報、形状、サイズ）を取得する。また、ユーザは、必要に応じて、補助具３０のサイズ調整機構を用いて補助具３０のサイズを調整し、補助具３０のサイズの調整値（デジタル設定）を取得する。
【００６０】
続いて、ユーザは、補助具３０を用いて被検者を撮影台２４に位置決めする（ステップＳ５）。この時、ユーザは、補助具３０の配置情報（補助具３０の位置、設置面、設置方向）を取得する。
【００６１】
続いて、Ｘ線画像撮影装置１２によって、被検者２８のＸ線画像を撮影する（ステップＳ６）。つまり、ユーザにより、曝射ボタンが押されると、Ｘ線制御装置１８により、Ｘ線源１６の動作が制御され、Ｘ線源１６からＸ線が照射される。そして、撮影台２４に位置決めされた被検者２８を透過したＸ線がＸ線検出器２２によって検出されることによってＸ線画像が撮影される。撮影されたＸ線画像の画像信号はコンソール１４の制御装置３４に入力され、画像処理等が施された後、例えば、表示装置３８に表示される。
【００６２】
最後に、ユーザは、補助具３０の情報として、補助具３０の情報およびその配置情報を登録する（ステップＳ７）。つまり、ユーザは、入力装置３２を介して、被検者２８の情報に関連付けて、補助具３０の情報およびその配置情報を入力する。これに応じて、制御装置３４の制御により、被検者２８の情報と補助具３０の情報およびその配置情報とが関連付けられて記憶装置３６に記憶される。
【００６３】
続いて、２回目以降のＸ線画像の撮影時の動作を説明する。
【００６４】
ユーザは、被検者２８の２回目以降のＸ線画像を撮影する時に、入力装置３２を介して検索キーとして、例えば、被検者２８の識別情報またはＸ線画像の情報等を入力し、これに応じて、制御装置３４は、被検者２８の情報を受け取る（ステップＳ８）。２回目以降の撮影時には、被検者２８の情報として、１回目の撮影時の場合の取得情報の他に、撮影済みのＸ線画像の情報、補助具３０の情報およびその配置情報が含まれている。制御装置３４は、これらの情報を表示装置３８に表示する。
【００６５】
その後、ステップＳ４へ進み、ユーザは、表示装置３８に表示された情報を見て、表示装置３８に表示された補助具３０の情報に一致する補助具３０を選択し、続くステップＳ５において、表示装置３８に表示された補助具３０の配置情報に従って、補助具３０を用いて被検者２８を位置決めする。これ以後の動作は、１回目のＸ線画像の撮影時の動作と同じである。
【００６６】
以上のように、Ｘ線画像撮影システム１０では、補助具３０を用いて被検者２８を位置決めし、経過観察などで、一定の期間毎に同一被検者の同一部位を再撮影する場合に、補助具３０の情報およびその配置情報に従って、補助具３０の種類およびその配置状態、すなわち、１回目（前回）のＸ線画像の撮影時の被検者２８の姿勢を再現することができる。従って、医師による診断の精度を向上させることができる。
【００６７】
また、経過観察などで、被検者２８の体型の変化で使用する補助具３０を変更する必要がある場合などであっても、Ｘ線画像を撮影する毎に、撮影時に使用した補助具３０の情報を記憶させておくことによって、補助具３０の使用履歴を観察することも可能となる。
【００６８】
本発明は、基本的に以上のようなものである。
以上、本発明について詳細に説明したが、本発明は上記実施形態に限定されず、本発明の主旨を逸脱しない範囲において、種々の改良や変更をしてもよいのはもちろんである。
【符号の説明】
【００６９】
１０  Ｘ線画像撮影システム
１２  画像撮影装置
１４  コンソール
１６  Ｘ線源
１８  Ｘ線制御装置
２４  撮影台
２６  Ｘ線検出器
２８  被検体
３０  補助具
３２  入力装置
３４  制御装置
３６  記憶装置
３８  表示装置
４０  発光部
４２  受光部
４８  ねじジャッキ
５０  ねじ軸
【図１】
2012050525.tif 000003
【図２】
2012050525.tif 000004
【図３】
2012050525.tif 000005
【図４】
2012050525.tif 000006
【図５】
2012050525.tif 000007
【図６】
2012050525.tif 000008
【図７】
2012050525.tif 000009
【図８】
2012050525.tif 000010
【図９】
2012050525.tif 000011